(57)【要約】【課題】  歩行型管理機を用いての畝立て作業を、機材の取り換えの手間を要することなく能率よく行えるようにする。【解決手段】  エンジン４を有する走行機体と、該走行機体の後方にハンドル１５を延出し、該エンジン４の駆動力で動力伝達機構を介して耕耘軸９を回転させ、該耕耘軸９に備えた耕耘爪１０の回転により耕耘する歩行型管理機において、前記耕耘軸９より後方で走行機体の後部に抵抗棒１３を配置し、前記耕耘爪１０で耕起した土を押圧して畝を成形する培土板１４を、前記抵抗棒１３に取り付けるにあたり、抵抗棒１３に形成した上下の係止部１７ａ，１７ｂに挟持可能に構成した。【選択図】      図３
2012110276.tif 000002
【特許請求の範囲】
【請求項１】
エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土板を、前記抵抗棒に取り付けるにあたり、抵抗棒に形成した上下の係止部に挟持可能に構成したことを特徴とする歩行型管理機。
【発明の詳細な説明】
【技術分野】
【０００１】
本発明は、耕耘作業等を行うための歩行型管理機に関する。
【背景技術】
【０００２】
従来、ハンドルを後方に延出した走行機体に耕耘爪を装備するとともに、前記走行機体の後部に抵抗棒を配置し、前記耕耘爪で耕起した土を押圧して畝を成形する培土板を、前記耕耘爪と抵抗棒との間に配置した歩行型管理機は知られている。（例えば、特許文献１参照）
【先行技術文献】
【特許文献】
【０００３】
【特許文献１】特開２００９−１７８０５８号公報
【発明の概要】
【発明が解決しようとする課題】
【０００４】
上述した特許文献１の歩行型管理機においては、使用する培土板の形状や大きさが一定であるため、同じ大きさの畝しか作ることが出来ないので、例えば、作物の種類によって畝間隔を広くしたい場合や、逆に狭くしたい場合、その都度、培土板を取り外して別の培土板を取り付けなければならないという煩雑な作業をしいられていた。
しかも、培土板の取外や交換作業も、一々、固定ピンや連結ボルト等での固定が必要で交換作業が煩わしかった。
【０００５】
そこで本発明は、歩行型管理機を用いての畝立て作業時の培土板の取り換えの手間を少なくすることが可能な歩行型管理機を提供することを目的とする。
【課題を解決するための手段】
【０００６】
本発明は、上記の如き実情に鑑みこれらの課題を解決することを目的として創作されたものであって、エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土板を、前記抵抗棒に取り付けるにあたり、抵抗棒に形成した上下の係止部に挟持可能に構成したことを特徴とする。
【発明の効果】
【０００７】
請求項１に係る本発明によると、エンジンを有する走行機体と、該走行機体の後方にハンドルを延出し、該エンジンの駆動力で動力伝達機構を介して耕耘軸を回転させ、該耕耘軸に備えた耕耘爪の回転により耕耘する歩行型管理機において、前記耕耘軸より後方で走行機体の後部に抵抗棒を配置し、前記耕耘爪で耕起した土を押圧して畝を成形する培土板を、前記抵抗棒に取り付けるにあたり、抵抗棒に形成した上下の係止部に挟持可能に構成したので、異なる形状の畝を作る際には、特別な工具を使うことなく簡単に交換作業を行うことができる。
【図面の簡単な説明】
【０００８】
【図１】歩行型管理機の側面図である。
【図２】抵抗棒単体の要部背面図である。
【図３】歩行型管理機の抵抗棒に培土板を装着した状態を示す側面図である。
【図４】角形状の畝を作る際に使用する培土板を抵抗棒に取り付けた状態を示す背面図である。
【図５】Ｖ溝形状の畝を作る際に使用する培土板を抵抗棒に取り付けた状態を示す背面図である。
【図６】台形状の畝を作る際に使用する培土板を抵抗棒に取り付けた状態を示す背面図である。
【図７】丸い形状の畝を作る際に使用する培土板を抵抗棒に取り付けた状態を示す背面図である。
【発明を実施するための形態】
【０００９】
以下、本発明に係る実施の形態を図１乃至図４に沿って説明する。
【００１０】
１は車軸耕耘式の歩行型管理機であって、該歩行型管理機１は、前後方向に沿う機体フレーム２を備え、該機体フレーム２の下側に、前低後高状に傾斜するチェンケース３が配置される一方、機体フレーム２の上側に、動力源であるエンジン４が搭載されている。
【００１１】
エンジン４の左側面部には、エンジン４の動力をチェンケース３内の動力伝達機構に伝達するベルト伝動機構（図示せず）と、これを覆うベルトカバー５が設けられている。  また、エンジン４の上部には、ステー６を介して燃料であるガスボンベ７が設けられると共に、ガスボンベ７の周囲を覆うエンジンカバー８が設けられている。
【００１２】
チェンケース３の下部には、エンジン動力で駆動される耕耘軸９が設けられている。耕耘軸９は、チェンケース３の下部から左右に延出しており、その複数の耕耘爪１０が適宜設けられている。
【００１３】
本実施形態の耕耘軸９は、チェンケース３に突設される固定耕耘軸と、該固定耕耘軸に着脱自在に設けられて軸長を延長する延長軸とを備えて構成されており、例えば、通常の耕耘作業時には、延長軸を取り付けて耕耘幅を広く確保する一方、中耕作業時には、延長軸を取り外して機体幅を狭くすることができるようになっている。
【００１４】
また、チェンケース３の後端部には、後部ヒッチ１２が一体的に設けられている。この後部ヒッチ１２には、抵抗棒１３が固定され、該抵抗棒１３に本発明の要部となる培土板１４が装着されるようになっている。
【００１５】
さらに、チェンケース３の上端部には、ハンドルフレーム１５Ｆが後方に向け突設されている。そして、ハンドルフレーム１５Ｆの上部にはハンドル１５が延出している。
該ハンドル１５は、左右のハンドル１５Ｌ、１５Ｒで構成されている。そして、左側のハンドル１５Ｌには、主クラッチレバー１６が設けられ、右側のハンドル１５Ｒには、スロットルレバーが設けられている。
【００１６】
図３は、前進走行によって歩行型管理機１の通過跡左右に畝を形成してゆく外盛り式の畝立てを行う仕様とした歩行型管理機１が示されており、培土板１４を抵抗棒１３の前面に形成した係止部１７ａ，１７ｂに装着している。耕耘軸９に装着された耕耘爪１０を反時計方向（図１の矢印参照）に高速で回転駆動して耕起しながら耕耘爪１０の回転によって前進し、歩行型管理機１の後部において圃場に突入された抵抗棒１３による前進抵抗を加減することで、所望の速度で前進しながら耕起を行うようになっている。
【００１７】
前記耕耘爪１０は、耕耘軸９に耕耘爪１０を植設されており、この例では、複数種の耕耘爪１０を所定の配列に配置して、所定の放射方向に亘って耕起した土を左右に跳ね上げる外盛り仕様に構成されたものが用いられる。
【００１８】
また、前記後部ヒッチ１２には、上下方向に途中から後方に屈曲形成した抵抗棒１３の前面の上下二箇所に培土板１４を装着する係止部１７ａ，１７ｂが形成されている。
該係止部１７ａ又は１７ｂのどちらか一方へ最初に培土板１４を挟み込んでから次に残りの係止部１７ａ又は１７ｂに培土板１４を取り付ける。
なお、培土板１４は、若干固い材質である弾性部材で構成することで、係止部１７ａ，１７ｂに挟み込んだ時にしっかりと抵抗棒１３に係止することが出来る。
また、上記係止部１７ａ，１７ｂは、図１に示すように、上端Ｈ及び下端Ｌに至るほど抵抗棒１３から離間し、中間部Ｍが最も抵抗棒１３に接近して培土板１４の板厚以下の隙間となるように略逆「く」の字状に形成されており、該係止部１７ａ，１７ｂは各々対向する側が解放され且つ弾性を有している。
以上の構成により、該係止部１７ａ，１７ｂと抵抗棒１３との間に培土板１４を挟持することが可能となる。
【００１９】
また、係止部１７ａ，１７ｂに対して挟持される培土板１４の形状を予め複数用意しておくことで、図５乃至図７に示すようにＶ溝状の畝、台形状の畝、丸形状の畝を作ることが可能であり、作物の形態に合わせて色々な畝を作ることが出来る。
【００２０】
さらに、係止部１７ａ，１７ｂに対して必ずしも背面視で中央に培土板１４を取り付ける必要はなく、作業形態によっては、例えば、圃場の隅で機体が入りにくく作業がしづらい所にあっては、該係止部１７ａ，１７ｂに対して左右どちらかに培土板１４をオフセットして取り付けることで、狭い場所でも容易に畝を作ることが出来る。
【符号の説明】
【００２１】
１        歩行型管理機
４        エンジン
９        耕耘軸
１０      耕耘爪
１３      抵抗棒
１４      培土板
１５      ハンドル
１７ａ    係止部
１７ｂ    係止部
【図１】
2012110276.tif 000003
【図２】
2012110276.tif 000004
【図３】
2012110276.tif 000005
【図４】
2012110276.tif 000006
【図５】
2012110276.tif 000007
【図６】
2012110276.tif 000008
【図７】
2012110276.tif 000009